(57)【特許請求の範囲】
【請求項１】
砂または他の同様材料を圧搾室（３）内で可動端壁を形成する垂直圧搾板（１）と垂直揺動可能板（２）との間で圧縮することにより鋳造鋳型部を作るための装置であって、更に揺動可能板（２）が圧縮後に圧搾板の更なる前進移動（１０）による圧搾室（３）からの鋳型部の通過を可能とするように離れる方向に揺動し、揺動可能板（２）が前記圧搾室（３）に関して移動するために案内柱（５）に取り付けられている前方枠（４）にジャーナル軸受けされており、引き枠（６）が圧搾室（３）の後ろに置かれ案内柱（５）に連結されており、前方枠（４）、引き枠（６）及び案内柱（５）がかくして圧搾室（３）の縦軸と平行な剛直フレーム構造を形成し、少なくとも二つの案内柱（５）が圧搾室（３）または圧縮位置の前方枠（４）の位置に近接した装置の他の固定部に連結された対応する数の案内（７）内にジャーナル軸受けされているものにおいて、引き枠（６）の意図した移動に直角な面内の動きに対して引き枠（６）を案内するための案内手段（８，９，１４，１５，１６，１７，１８）を含むこと、前記案内手段（８，９，１４，１５，１６，１７，１８）が引き枠（６）を直接に案内し、引き枠（６）の圧縮位置に近接した装置の固定部に連結されていることを特徴とする装置。
【請求項２】
対応する数の補助案内柱（９）にジャーナル軸受けされた少なくとも一つの案内（８）により引き枠（６）の案内が提供されていること、前記補助案内柱がその一端で圧搾室（３）または圧搾室（３）の後ろ側に近接した装置の他の固定部にかつその対向端で引き枠（６）の圧縮位置に近接した装置の固定部に連結されていることを特徴とする請求項１に記載の装置。
【請求項３】
引き枠（６）に対照的に設けられた案内（８）と係合するように配置された二つの補助案内柱（９）を含むことを特徴とする請求項１又は２に記載の装置。
【請求項４】
引き枠（６）と装置の固定部にそれぞれ設けられたローラー（１４）とローラー表面（１５）により引き枠（６）の案内が提供されていることを特徴とする請求項１に記載の装置。
【請求項５】
引き枠（６）と装置の固定部にそれぞれ設けられた共働する支持表面（１６，１７）により引き枠（６）の案内が提供されていることを特徴とする請求項１に記載の装置。
【請求項６】
装置の固定部に取り付けられた対応する案内（１８）と共働する、引き枠（６）の後ろの案内柱（５）の連続部により引き枠（６）の案内が提供されていることを特徴とする請求項１に記載の装置。
【請求項７】
枠（４，６）をそれらの隅部で連結する四本の案内柱（５）を含むフレーム構造を特徴とする請求項１から６のいずれかに記載の装置。
【請求項８】
圧搾室（３）または圧搾室（３）の前方端に近接した装置の他の固定部に連結された案内（７）に全ての四本の案内柱がジャーナル軸受けされていることを特徴とする請求項７に記載の装置。
【請求項９】
圧搾板（１）、及び枠（４，６）、案内柱（５）等からなるフレーム構造のそれぞれの移動がそれぞれの油圧駆動装置（１０，１１）により提供されることを特徴とする請求項１から８のいずれかに記載の装置。
【発明の詳細な説明】
【０００１】
技術分野
本発明は砂または他の同様材料を圧搾室内で可動端壁を形成する垂直圧搾板と垂直揺動可能板との間で圧縮することにより鋳造鋳型部を作るための装置に関する。揺動可能板は圧縮後に圧搾板の更なる前進移動による圧搾室からの鋳型部の通過を可能とするように離れる方向に揺動することができ、揺動可能板は前方枠にジャーナル軸受けされており、この前方枠は前記圧搾室に関して移動するために案内柱に取り付けられている。引き枠は圧搾室の後ろに置かれており案内柱に連結されている。前方枠、引き枠及び案内柱は圧搾室の縦軸と平行な比較的剛直なフレーム構造を形成する。この種の装置は例えばＥＰ−２３１７４１及びＥＰ−０２００８２から知られている。
【０００２】
背景技術
かかる既知の装置において、引き枠は案内柱によりその移動時に制御されるだけであり、従って異なる形状の模型と関連して、それぞれ圧搾板と揺動可能板に適用された不均一力が案内柱と二つの連結された枠からなる比較的剛直なフレーム構造の変形を起こすであろう。かかる変形を減らし、従って揺動可能板の傾斜運動を減らすために、例えばＥＰ−２３１７４１から、圧搾室の前方に近接した及び圧搾室の後方に近接した案内柱のための支持を提供することが知られている。しかし、これは圧縮時の揺動可能板のある傾斜運動を完全に防がないであろう。
【０００３】
発明の開示
かかる変形を更に減らすことがこの発明の目的であり、この発明によればこれは請求項１の特徴部に示されたような引き枠を案内するための手段の設置により達成される。これにより、引き枠は直接に案内され、フレーム構造の意図した移動に直角な面内の動きに対して支持され、従って実質的に装置の寸法を増やすことなく、かつ前方枠、引き枠及び案内柱からなる可動フレーム構造の重量を実質的に増やすことなく、揺動可能板のより剛直な案内を提供する、特に傾斜運動を防ぐ、より剛直なフレーム構造が達成される。
この発明の好適実施例は従属請求項に記載されている。
【０００４】
図面の簡略説明
本説明の以下の詳細部において、この発明が図面に示されたこの発明による鋳造鋳型部を作るための装置の例示的実施例に関してより詳細に説明されるであろう。図面において、
図１は圧縮位置のこの発明による装置の概略側面図を示し、
図２は抽出位置の図１の装置を示し、
図３は図１の装置の一部の詳細図であり、
図４は図１に対応するこの発明の一実施例を示す概略スケッチであり、
図５はこの発明の代替実施例を示す図４に対応するスケッチであり、そして
図６，７及び８は引き枠を案内するための代替構成を示す。
【０００５】
好適実施例の説明
砂または他の同様材料を圧縮することにより鋳造鋳型部を作るための装置は圧搾室３内に可動端壁を形成する垂直圧搾板１と垂直揺動可能板２を含む形式のものである。揺動可能板２は圧搾室３に関して移動するために案内柱５に取り付けられている前方枠４に揺動可能に連結されている。引き枠６が前方枠４に対向した端で案内柱５に連結されている。案内柱５は図１に示された圧縮位置では前方枠４の位置に接近して圧搾室３に連結された案内７内にジャーナル軸受けされ、引き枠６は前方枠４、引き枠６及び案内柱５からなるフレーム構造を移動するための油圧駆動装置１１に連結されており、それにより揺動可能板２は圧搾室３に関して移動される。図１と２に示された構成において、引き枠６は補助案内柱９上にジャーナル軸受けされた案内８を含み、それにより引き枠６の動きが制御される。補助案内柱９は圧搾室３に接近した一端で圧搾室３または装置の他の固定部に連結されており、その対向端で補助案内柱９は図１と２にブロック１２として示されている装置の固定部に固定されている。圧搾板１の移動は油圧駆動装置１０により提供される。
【０００６】
示された構成により、前方枠４、案内柱５及び引き枠６からなるフレーム構造は比較的小型で、フレーム構造の剛直性を増やし、案内柱５のための案内７と補助案内柱９のための案内８との間の距離は図１に示された圧縮位置では最大に近く、そこでは構造上の力は最大であり、この距離は図２に示された抽出位置では小さく、この位置では構造上の力は最小であり剛直性は重要性が少ない。
【０００７】
鋳造鋳型部を作るこの装置は伝統的な方式で機能し、圧搾室３は砂で充填され、前記砂は油圧駆動装置１０と１１により室３中に移動される圧搾板１と揺動可能板２の間で圧縮される。圧縮後、油圧駆動装置１１は揺動可能板２を圧搾室３から離れるように移動し、揺動可能板は図２に示された位置に動かされ、油圧駆動装置１０による圧搾板１の前進移動による圧搾室３からの鋳型部の通過を可能とする。装置を離れる鋳型部は当業者に周知の鋳型列鋳造のために用いられる鋳型列を形成する。
【０００８】
図３はこの発明による装置の必須部、すなわち前方枠４、案内柱５及び引き枠６からなるフレーム構造を示し、案内柱５は案内７内にジャーナル軸受けされており、引き枠６は補助案内柱９にジャーナル軸受けされた案内８を含む。図３において、このシステムは圧縮位置で示されており、この図から前方枠４はその位置に案内７により密接に制御され、引き枠６の移動方向に直角な垂直面内の引き枠６の位置は案内８と圧縮位置での案内８の位置に近接して装置の固定部に連結されている補助案内柱９との間の係合により密接に制御される。
【０００９】
図４と５は補助案内柱９と引き枠６内の対応する案内８の二つの異なる可能な位置を概略的に示すが、案内柱５のための案内７の位置は二つの図で同じである。
【００１０】
図６，７及び８は圧縮位置での引き枠６の直接案内を提供するための代替構成を示す。
【００１１】
図６に示された構成は引き枠６に連結され装置の固定部の対応するローリング表面１５と係合するローラー１４を含む。当然に、ローラー１４とローリング表面１５の位置は逆にすることができる。
【００１２】
図７に示された構成は装置の固定部の対応する支持表面１７と共働する引き枠６上の支持表面１６を含む。引き枠６の直接案内はその圧縮位置で必要とされるだけであるという事実のため、この支持表面１７はこの圧縮位置に近接した位置の引き枠６の支持表面１６と接触するだけであるような方法で形成されることができ、そこでは引き枠６のための“ドッキング”機能が設けられる。
【００１３】
図８に示された構成は引き枠６の後ろに柱５の連続部を含み、少なくとも圧縮時に、これらの柱５の連続部は装置の固定部に連結された案内１８と係合する。
【００１４】
多くの他の代替物が特許請求の範囲から逸脱することなく考えられることは当業者には明らかであろう。
【図面の簡単な説明】
【図１】圧縮位置のこの発明による装置の概略側面図を示す。
【図２】抽出位置の図１の装置を示す。
【図３】図１の装置の一部の詳細図である。
【図４】図１に対応するこの発明の一実施例を示す概略スケッチである。
【図５】この発明の代替実施例を示す図４に対応するスケッチである。
【図６】引き枠を案内するための代替構成を示す。
【図７】引き枠を案内するための代替構成を示す。
【図８】引き枠を案内するための代替構成を示す。
【図１】
0003628260.tif 000002
【図２】
0003628260.tif 000003
【図３】
0003628260.tif 000004
【図４】
0003628260.tif 000005
【図５】
0003628260.tif 000006
【図６】
0003628260.tif 000007
【図７】
0003628260.tif 000008
【図８】
0003628260.tif 000009